(57)【要約】【課題】  障害物を引っかけたままグリルシャッタを開放駆動した状態で、障害物を検知し、この検知出力により駆動停止など、必要な安全操作がなされようにした。【解決手段】  少なくも一部をグリルシャッタとした昇降式シャッタなどの電動式開閉体において、開閉体１の開閉移動に伴う障害物Ｗに直接又は間接に度当たりして障害物を検知するテープスイッチなどの検知手段１０を、開閉体１の引き込み口３の周囲部分の天井面２に設けた。【選択図】      図１
2005098031.tif 000002
【特許請求の範囲】
【請求項１】
少なくも一部をグリルシャッタとした電動式開閉体において、開閉体の開閉移動に伴う障害物に直接又は間接に度当たりして障害物を検知する検知手段を、開閉体の引き込み口の周囲部分に設けたことを特徴とする電動式開閉体の障害物感知装置。
【請求項２】
少なくも一部をグリルシャッタとした電動式開閉体において、開閉体の引き込み口の開口面に沿って揺動可能に配置され、かつ開閉体の開閉移動に伴う障害物に度当たりして揺動変位する検出板と、検出板に対向して引き込み口の開口面に沿って固定配置され、かつ検出板の揺動によりこれと接触して障害物を検知する検知手段を設けたことを特徴とする電動式開閉体の障害物感知装置。
【請求項３】
請求項２において、前記検出板及び検知手段よりなる感知装置が、前記開口面の前後の両側に沿って、夫々対称配置されていることを特徴とする電動式開閉体の障害物感知装置。
【請求項４】
請求項２において、前記引き込み口の開口面に沿って固定され、かつその先端に検知手段を固定した固定板と、固定板の両端に設けた軸受け部に軸を介して揺動可能に取り付けられた検出板と、検出板を開口端面に平行に支持する支持板と、常時検出板を支持板接触側に付勢するバネ手段を備えたことを特徴とする電動式開閉体の障害物検地装置。
【請求項５】
請求項４において、前記バネ手段は、前記軸の外周に嵌合するループのほか検出板側接触端に第２のループを備え、前記検出板の揺動時において、第２のループをアクチュエータとして、前記検知手段に接触若しくは押圧して、検知手段を作動させるトーションバネよりなることを特徴とする電動式開閉体の障害物感知装置。
【請求項６】
請求項１乃至５のいずれか１項において、前記検知手段が開閉体の幅方向に沿って配置されるテープスイッチであることを特徴とする電動式開閉体の障害物感知装置。
【発明の詳細な説明】
【技術分野】
【０００１】
本発明は、少なくとも一部をグリルシャッタとした昇降式シャッタなどの電動式開閉体の開放作動時において、障害物がグリルを構成するバーに引っかかっている場合に、これを自動的に感知し、駆動停止などの安全作動を行えるようにした障害物感知装置に関する。本発明におけるグリルシャッタとは、いわゆる通常のグリルシャッタのみならず、開閉体の移動動作時（特に開放方向への移動動作時）に、障害物が引っ掛かって引き込み口に当接するおそれがある程度の隙間を有するシャッタを含むものである。
【背景技術】
【０００２】
障害物を感知して開閉体の駆動を停止する装置として、開閉体の移動端に障害物に接して変位する感知片を設け、この感知片の変位に連繋して変位状態を検出するマイクロスイッチなどの検知手段を設けたものがある（特許文献１）。
この構造では、例えば昇降式シャッタ装置などにおけるシャッタ下降時に開口位置に障害物があった場合に、感知片が障害物に度当たりすると、検知手段がこれを検知し、この検知出力に基づき駆動用のモータが停止などしてその位置に保持などされるため、障害物に対する過荷重が加わらない一方で、開閉体の駆動機構そのものに対しても過負荷を防止できるため、双方に対して安全性を確保できる。
【特許文献１】特開平８−２８６１５号公報
【発明の開示】
【発明が解決しようとする課題】
【０００３】
ところで、少なくとも一部をグリルシャッタとした上記のような電動式開閉体は、グリルシャッタ部を構成するバーを複数のリンク部材を介して接合しており、シャッタ閉鎖時においては各バーが、昇降式の場合では縦方向に間をあけて並列し、横スライド式の場合では横方向に間をあけて並列する。
したがってシャッタが閉じている状態では、昇降式の場合にはバーにステッキの柄や、傘の柄、その他フック状の部材を引っかけておくことがあり得、また横スライド式の場合には物品をバーの隙間に交叉して置かれてしまうことがあり得る。
【０００４】
しかし、フック状部材や、交叉物品を放置した状態のまま、開閉体を開放する、すなわち引き込み駆動操作がなされると、これらを引き連れた状態で引き込みされる。
交叉物の場合には移動過程でバーからはずれることが多いと思われるが、フック状部材ではバーに引っかかったまま移動してしまうおそれが大きいので、引き込み口端部にこれらが引っかかり、駆動用のモータに過負荷を生じさせたり、フック状部材の破損、あるいはバーの変形や、引き込み口端部の破損などの不具合が生ずるおそれがある。
【０００５】
このような不具合を予防する手段として、トルクリミッターなどの過電流センサがあるが、センサで検出する以前の段階で障害物が引き込み口端部に接触してしまい、検出に時間的なずれが生じるおそれがある。さらに、光電センサなどの非接触式センサで障害物を検出することも考えられるが、例えばステッキ、傘などがバーにぶら下がった状態でシャッタ面に接近していると正確な検出は困難な場合がある。
【０００６】
本発明は、以上の不具合を解決するもので、フック状部材、交叉部材等の障害物を引っかけたままグリルシャッタを開放移動した時に、これら障害物を検知し、この検知出力により移動停止など、より安全な動作がなされようにした電動式開閉体の障害物感知装置を提供するものである。
【課題を解決するための手段】
【０００７】
前記目的を達成するため、本発明の電動式開閉体の障害物感知装置は、図の実施の形態にも示されるように、少なくも一部をグリルシャッタとした昇降式シャッタなどの電動式開閉体において、開閉体１の開閉移動に伴い、開閉体１に係合して移動する障害物Ｗに直接又は間接に度当たりして障害物を検知するテープスイッチなどの検知手段１０を、開閉体１の引き込み口３の周囲部分の、例えば天井面２に設けたことを特徴としている。
【０００８】
また、本発明では、少なくも一部をグリルシャッタとした昇降式シャッタなどの電動式開閉体において、開閉体１の引き込み口３周囲の開口面である、例えば天井面２に沿って揺動可能に配置され、かつ開閉体１の開閉移動に伴なって開閉体１のグリルバー１ａに係合された状態で移動する障害物Ｗに度当たりして揺動変位する検出板６と、検出板６に対向して引き込み口３の周囲に沿った、例えば天井面２の外周壁面に固定配置され、かつ検出板６の揺動によりこれと接触若しくは圧接して障害物Ｗを検知するテープスイッチなどの検知手段１０を設けたことを特徴とする。
【０００９】
このような検出板６及び検知手段１０よりなる感知装置４が、例えばスリット状引き込み口１の長手方向の前後に沿って、夫々対称配置されている。感知装置４の長さは、引き込み口１の長手方向の長さ、すなわち、開閉体１の幅と略同等の長さとされていることが望ましい。
【００１０】
さらに、引き込み口３の開口面に沿って固定され、かつその先端に検知手段１０を固定した固定板５と、固定板５の両端に設けた軸受け部に軸１２を介して揺動可能に取り付けられた検出板６と、検出板６を開口端面に平行に支持する支持板７と、常時検出板８を支持板７接触側に付勢するバネ手段１５を備えたことを特徴としている。
【００１１】
上記バネ手段１５は、軸１２の外周に嵌合するループのほか検出板８側接触端に第２のループ１５ｄを備え、検出板８の揺動時において、第２のループ１５ｄをアクチュエータとして検知手段１０に接触若しくは押圧して、検知作動させるトーションバネにより形成されている。
【００１２】
さらに、上記検知手段１０は、開閉体１の幅方向に沿って配置されるテープスイッチであることが望ましいが、通常のリミットスイッチであってもさしつかえない。
【発明の効果】
【００１３】
以上により、本発明にあっては、フック状部材などの障害物Ｗが引き込み口３の溝口に当接する寸前の段階で、検出板６のいずれか一箇所が障害物Ｗに接触して揺動し、この動作が検知手段１０により検知されるので、検知出力により駆動部の駆動を停止するなどの安全制御を行うことができ、障害物や、バー、引き込み口開口近傍の破損、変形を未然に防止できる。また、安全性の点でも優れている。
【００１４】
このような検出板６及び検知手段１０よりなる感知装置４を、開口面の前後両側に沿って、夫々対称配置させることにより、障害物Ｗが、グリルシャッタを構成するバー１ａを挟むいずれか一方又は双方に突出して場合にも、有効にこれを検知できる。
さらに、バネ手段としてのトーションバネのループをアクチュエータとして検知手段のスイッチに接触させることにより、バネによる緩衝効果によって、過度な押しつけがない。
【００１５】
検知手段１０をテープスイッチにより構成することにより、シャッタ引き込み口３のスリット状開口のシャッタ幅方向の何れの位置に障害物Ｗがあった場合でも、有効に検知することができ、また、その一端部より外部接続用のリード線を引き出すことができるため、配線引き回しが簡単である。
【発明を実施するための最良の形態】
【００１６】
以下、本発明の実施の形態を添付図面を用いて説明する。図１は本発明にかかる障害物検知装置の要部断面図、図２は同部品構成を示す分解斜視図である。
【００１７】
図１に示すように、グリルシャッタとしての開閉体１が昇降する天井面２に形成されたスリット状引き込み口３が開口する天井面２には、これの長手方向に沿って前後一対の障害物感知装置４が配置されている。
【００１８】
グリルシャッタとしての開閉体１は、縦方向に所定間隔をおいて横列した横バー１ａ同士をリンク１ｂで間隔をおいて連結したもので、これの閉鎖状態では縦一直線状に配列され、また天井面２上のシャッタケース内に設けられた巻き取り装置により、円筒形に巻き込み格納されるものである。開閉体１は、上記のようなグリルシャッタの他、通常のスラットカーテン部の一部（例えば上部）にグリルシャッタ部を連結した上下昇降式のシャッタカーテンにより構成される。また、開閉体１は、横引きシャッタカーテンにより構成させることもできる。
【００１９】
各感知装置４は、天井面２に固定される固定板５と、固定板５の長手方向両側に揺動可能に支持された検出板６と、検出板６の長手方向両側にあって、天井面２（シャッタケースの引き込み口３前後の下面）に固定され、検出板６を天井面２と平行に支持する支持板７（図２参照）とを備えている。これらはいずれも薄鋼板、アルミ板などのプレスまたは異形押出し成形体からなっている。
【００２０】
固定板５は断面略Ｌ字形をなし、その長手方向両側には前記検出板６の軸受け用の一対の軸受けブラケット８が一体に設けられ、また先端側、すなわち引き込み口３側に対する接近位置に沿ってリップ溝型チャンネル材９に抱持されたテープスイッチよりなる検知手段１０が固定され、この検知手段１０（テープスイッチ）の端部からは外部接続用の一対のリード線１１が導出されている。検出板６は断面略コ字形をなすもので、その長手方向両側には前記軸受けブラケット８に軸受けする軸１２を固定用ブラケット１４を介して固定している。各軸１２周りにはトーションバネよりなるバネ手段１５のループ１５ａが嵌合され、その一端１５ｂは固定板５側の板面に当接し、他端１５ｃ側は検出板６の先端側に延長され、この延長端で検知手段（テープスイッチ）１０に向き合う第２のループ１５ｄが形成され、この折り返し先端１５ｅを検出板６の板面に当接させることで軸１２を基点として常時天井面２から離間する方向に揺動付勢されている。
【００２１】
支持板７は、天井面２に固定されるフランジ１６と、これより一段低く形成された検出板支持部１７とからなっており、バネ手段１５のバネ圧に抗して常時検出板６を天井面２と平行に支持している。
【００２２】
なお、図１中符号１８は検出板６の揺動基部側に配置され、その上端を天井面２に接触するゴミよけ用のゴムシートである。
【００２３】
以上の構成において、図１に示すごとく、バー１ａに障害物Ｗとして傘の柄が引っかかっている場合、このものは、開閉体１の上昇時において、検出板６の揺動端に度当たりし、これによって検出板６は軸１２を基点に図１中想像線のごとく回動し、バネ手段１５の第２のループ１５ｄがアクチュエータとなって検知手段１０に接触し、障害物として検知されることになる。
【００２４】
図３は、以上の回路構成を示すもので、検知手段１０からの出力は増幅器１９により増幅され、警報出力２０として出力され、この出力に応じてシャッタ巻き取り機構のモータ駆動部２１を緊急停止させるとともに、ブザー２２の鳴動などによりシャッタを管理する管理者などに障害物があることを告知する。
したがって、管理者はこの警報音を受けて現場に行き、障害物Ｗを取り除いた上、手動復帰操作などを行うことにより、完全に開放することができるのである。
【００２５】
上記実施の形態に係る感知装置４は、組立、取付けが容易で、作動も確実である。
【産業上の利用可能性】
【００２６】
昇降式のグリルシャッタ、横スライド式グリルシャッタ、グリルシャッタと通常のスラットシャッタとを組み合わせたシャッタ一般に適用できる。また、特にタイマ連動の無人化制御によりシャッタ開閉を行う管理型シャッタの障害物感知装置として好適である。
【図面の簡単な説明】
【００２７】
【図１】本発明にかかる障害物感知装置の要部断面図である。
【図２】同障害物感知装置の要部分解斜視図である。
【図３】同感知装置を用いた制御の一例を示す回路ブロック図である。
【符号の説明】
【００２８】
１  開閉体（グリルシャッタ）、１ａ  バー、１ｂ  リンク
２  天井面
３  引き込み口
４  感知装置
５  固定板
６  検出板
７  支持板
８  軸受けブラケット
１０  検知手段（テープスイッチ）
１１  リード線
１２  軸
１５  バネ手段（トーションバネ）
１５ｄ  第２のループ
Ｗ  障害物
【図１】
2005098031.tif 000003
【図２】
2005098031.tif 000004
【図３】
2005098031.tif 000005